(57)【特許請求の範囲】
【請求項１】
光源を第１光量レベル値と該第１光量レベル値よりも大きい第２光量レベル値とでそれぞれ発光させる光源発光手段と、記録媒体への情報記録前に前記光源から発光された光を前記記録媒体に照射し、その反射光の信号レベル値を検出する情報記録前反射光信号レベル値検出手段と、該手段によって検出された信号レベル値を基準レベル値として記録保持する基準レベル値記録保持手段と、前記記録媒体への情報記録開始後に前記光源から発光された光に対する前記記録媒体からの反射光の信号レベル値を検出する情報記録開始後反射光信号レベル値検出手段と、該手段によって検出された信号レベル値と前記基準レベル値記録保持手段に記録保持された基準レベル値とを比較する比較手段と、該手段による比較結果に基づいて前記光源を発光させる駆動電流を調整する駆動電流調整手段とを有し、
前記情報記録前反射光信号レベル値検出手段と前記情報記録開始後反射光信号レベル値検出手段にそれぞれ、前記光源から発光された光に対する前記記録媒体からの反射光の第２光量レベル値を検出する第１反射光信号レベル値検出手段と、前記光源から発光された光に対する信号レベル値の平均値を検出する第２反射光信号レベル値検出手段と、前記第１反射光信号レベル値検出手段と前記第２反射光信号レベル値検出手段とのいずれか一方を選択指令に基づいて選択する検出先選択手段とを設け、
前記選択指令は、前記光源のディジタル変調速度が低速のときは、前記検出先選択手段に前記第１反射光信号レベル値検出手段を選択させる指令であり、前記光源のディジタル変調速度が高速のときは、前記検出先選択手段に前記第２反射光信号レベル値検出手段を選択させる指令であることを特徴とする光量制御装置。
【請求項２】
記録媒体に光源から発光した光を照射して情報を記録する情報記録装置であって、
前記光源を第１光量レベル値と該第１光量レベル値よりも大きい第２光量レベル値とでそれぞれ発光させる光源発光手段と、前記記録媒体への情報記録前に前記光源から発光された光を前記記録媒体に照射し、その反射光の信号レベル値を検出する情報記録前反射光信号レベル値検出手段と、該手段によって検出された信号レベル値を基準レベル値として記録保持する基準レベル値記録保持手段と、前記記録媒体への情報記録開始後に前記光源から発光された光に対する前記記録媒体からの反射光の信号レベル値を検出する情報記録開始後反射光信号レベル値検出手段と、該手段によって検出された信号レベル値と前記基準レベル値記録保持手段に記録保持された基準レベル値とを比較する比較手段と、該手段による比較結果に基づいて前記光源を発光させる駆動電流を調整する駆動電流調整手段とを有し、
前記情報記録前反射光信号レベル値検出手段と前記情報記録開始後反射光信号レベル値検出手段にそれぞれ、前記光源から発光された光に対する前記記録媒体からの反射光の第２光量レベル値を検出する第１反射光信号レベル値検出手段と、前記光源から発光された光に対する信号レベル値の平均値を検出する第２反射光信号レベル値検出手段と、前記第１反射光信号レベル値検出手段と前記第２反射光信号レベル値検出手段とのいずれか一方を選択指令に基づいて選択する検出先選択手段とを設け、
前記選択指令は、前記光源のディジタル変調速度が低速のときは、前記検出先選択手段に前記第１反射光信号レベル値検出手段を選択させる指令であり、前記光源のディジタル変調速度が高速のときは、前記検出先選択手段に前記第２反射光信号レベル値検出手段を選択させる指令であることを特徴とする情報記録装置。
【請求項３】
請求項２記載の情報記録装置において、該情報記録装置をコンピュータに内蔵するようにしたことを特徴とする情報記録装置。
【発明の詳細な説明】
【０００１】
【発明の属する技術分野】
この発明は、半導体レーザ等の光源の発光パワーを制御する光量制御装置とＣＤ−Ｒ／ＲＷディスク等の記録媒体に情報を記録する光ディスクドライブ等の情報記録装置とに関する。
【０００２】
【従来の技術】
近年、ＣＤ−Ｒ／ＲＷディスク等の記録媒体に情報を記録する情報記録装置が多用されており、例えば、情報記録中における光ディスクの反射光をフォトディテクタで受光し、ピット部の反射光強度最大値とピット部の先端から基準時間経過した後の反射光強度とをピーク検出回路及びサンプルホールド回路を解して抽出し、光ディスクへの情報記録開始時に実記録領域で数フレームに渡り、複数のピット部の反射光強度最大値及びサンプル反射光強度を検出し、その検出結果に基づいて基準値となる反射光強度最大値とサンプル反射光強度を求め、情報記録開始時はピット部からの反射光強度最大値とサンプル反射光強度を検出して、その検出結果と基準値を比例し、その比較結果に基づいてレーザ光を補正するランニングＯＰＣを行う情報記録装置（例えば、特開平９−２７０１２８号公報参照）があった。
【０００３】
例えば、情報記録装置として光ディスクに情報を記録する光ディスク装置では、光ディスクに記録するとき、記録レーザビームを読み取り時よりも高い記録パワーで変調する。
ＣＤ−Ｒ（Ｃｏｍｐａｃｔ  Ｄｉｓｃ  Ｒｅｃｏｒｄａｂｌｅ）ディスクのように記録面に有機色素記録膜を用いた書き込み可能な光ディスクの場合、半導体レーザ光源を読み取り時の発光パワー（Ｒｅａｄパワー）Ｐ１レベルと、Ｐ２＞Ｐ１なる書き込み時の発光パワー（Ｗｒｉｔｅ）Ｐ２レベルとで交互に発光させ、記録面上で発光パワーＰ２レベルで発光させたレーザ光を照射したところが穴（ピット）になり、発光パワーＰ１レベルで発光させたレーザ光を照射したところがスペースのままになる。
また、ＣＤ−Ｒディスクでも、Ｐ３＞Ｐ２なるＰ３レベルを設けて、発光パワーのＰ１レベル，Ｐ２レベル，Ｐ３レベルの３値で記録パワー波形を生成することがある。これは、Ｐ３レベルをピット先頭に位置付けるようにしてピットエッジを先鋭化するためである。
【０００４】
ＣＤ−ＲＷ（Ｃｏｍｐａｃｔ  Ｄｉｓｃ  ＲｅＷｒｉｔａｂｌｅ）ディスクのような相変化型の書き換え可能な記録媒体では、やはり３値を設けるが、発光パワーのＰ３レベルとＰ１レベルを高速で繰り返すことによって記録面上のレーザ光線の照射箇所をアモルファス（非結晶）化し、Ｐ２を持続させることによって結晶化させ、それを情報データに対応させる。
上記Ｐ２，Ｐ３といったパワーは、例えばＣＤ−Ｒ／ＲＷディスクといった光ディスクに情報を書き込む場合には、情報を書き込む以前に記録レーザパワー最適化（Ｏｐｔｉｃａｌ  Ｐｏｗｅｒ  Ｃａｌｉｂｒａｔｉｏｎ：ＯＰＣ）を光ディスクの最内周部のパワーキャリブレーションエリア（Ｐｏｗｅｒ  Ｃａｌｉｂｒａｔｉｏｎ  Ａｒｅａ：ＰＣＡ）で行って決定する。
【０００５】
しかし、ＰＣＡで決まる最適パワーで記録を開始しても、光ディスクの書き込むエリアの変化や経時的な温度変化、光ディスクの面振れや偏芯による原因等による見かけ上のレーザパワーの変化によって最適パワーから変化してしまうことがある。
そこで従来、上述のような情報記録装置では、一般的に情報を記録している時には、ランニングＯＰＣというレーザパワー最適化方法を行っている。ランニングＯＰＣの方法では、書き込み中の光ディスクからの反射光をピットを形成するために高パワーで発光しているタイミングでサンプリングして、Ｃの出力信号をモニタして、ＯＰＣ時の同様のモニタ信号と比較して、同じ信号レベルになるようにレーザパワーを常に最適化する処理を行っていた。
【０００６】
【発明が解決しようとする課題】
しかしながら、上述のようなランニングＯＰＣを行う従来の情報記録装置では、光ディスクへの実際の記録時の記録パワーは、書き込むエリアの変化や経時的な温度変化、光ディスクの面振れや偏芯による原因等の外的要因によって最適パワーから変化してしまう上に、記録速度が高速になってくると変調速度もきわめて高速になるので、Ｐ２レベルを持続する時間がきわめて短くなり、高速なサンプリング回路が必要になる。
しかし、高速なサンプリング回路を実現するのは一般には困難であり、たとえ実現できてもコスト高になるという問題があった。そこで、通常の安価なサンプリング回路を用いると今度は記録パワーが不正確になるという問題が発生する。この発明は上記の課題を解決するためになされたものであり、高速なサンプリング回路を用いずに光源の記録パワーを記録時の環境が変化しても常に最適値に制御できるようにすることを目的とする。
【０００７】
【課題を解決するための手段】
この発明は上記の目的を達成するため、光源を第１光量レベル値とその第１光量レベル値よりも大きい第２光量レベル値とでそれぞれ発光させる光源発光手段と、記録媒体への情報記録前に上記光源から発光された光を上記記録媒体に照射し、その反射光の信号レベル値を検出する情報記録前反射光信号レベル値検出手段と、その手段によって検出された信号レベル値を基準レベル値として記録保持する基準レベル値記録保持手段と、上記記録媒体への情報記録開始後に上記光源から発光された光に対する上記記録媒体からの反射光の信号レベル値を検出する情報記録開始後反射光信号レベル値検出手段と、その手段によって検出された信号レベル値と上記基準レベル値記録保持手段に記録保持された基準レベル値とを比較する比較手段と、その手段による比較結果に基づいて上記光源を発光させる駆動電流を調整する駆動電流調整手段を有し、上記情報記録前反射光信号レベル値検出手段と上記情報記録開始後反射光信号レベル値検出手段にそれぞれ、上記光源から発光された光に対する上記記録媒体からの反射光の第２光量レベル値を検出する第１反射光信号レベル値検出手段と、上記光源から発光された光に対する信号レベル値の平均値を検出する第２反射光信号レベル値検出手段と、上記第１反射光信号レベル値検出手段と上記第２反射光信号レベル値検出手段とのいずれか一方を選択指令に基づいて選択する検出先選択手段を設け、上前記選択指令は、上記光源のディジタル変調速度が低速のときは、上記検出先選択手段に上記第１反射光信号レベル値検出手段を選択させる指令であり、上記光源のディジタル変調速度が高速のときは、上記検出先選択手段に上記第２反射光信号レベル値検出手段を選択させる指令である光量制御装置を提供する。
【００１０】
また、記録媒体に光源から発光した光を照射して情報を記録する情報記録装置であって、上記光源を第１光量レベル値とその第１光量レベル値よりも大きい第２光量レベル値とでそれぞれ発光させる光源発光手段と、上記記録媒体への情報記録前に上記光源から発光された光を上記記録媒体に照射し、その反射光の信号レベル値を検出する情報記録前反射光信号レベル値検出手段と、その手段によって検出された信号レベル値を基準レベル値として記録保持する基準レベル値記録保持手段と、上記記録媒体への情報記録開始後に上記光源から発光された光に対する上記記録媒体からの反射光の信号レベル値を検出する情報記録開始後反射光信号レベル値検出手段と、その手段によって検出された信号レベル値と上記基準レベル値記録保持手段に記録保持された基準レベル値とを比較する比較手段と、その手段による比較結果に基づいて上記光源を発光させる駆動電流を調整する駆動電流調整手段を有し、上記情報記録前反射光信号レベル値検出手段と上記情報記録開始後反射光信号レベル値検出手段にそれぞれ、上記光源から発光された光に対する上記記録媒体からの反射光の第２光量レベル値を検出する第１反射光信号レベル値検出手段と、上記光源から発光された光に対する信号レベル値の平均値を検出する第２反射光信号レベル値検出手段と、上記第１反射光信号レベル値検出手段と上記第２反射光信号レベル値検出手段とのいずれか一方を選択指令に基づいて選択する検出先選択手段を設け、上記選択指令は、上記光源のディジタル変調速度が低速のときは、上記検出先選択手段に上記第１反射光信号レベル値検出手段を選択させる指令であり、上記光源のディジタル変調速度が高速のときは、上記検出先選択手段に上記第２反射光信号レベル値検出手段を選択させる指令である情報記録装置を提供する。
【００１２】
さらに、上記のような情報記録装置において、その情報記録装置をコンピュータに内蔵するようにするとよい。
【００１３】
【発明の実施の形態】
以下、この発明の実施形態を図面に基づいて具体的に説明する。
図１は、この発明の一実施形態である光ディスク装置の構成例を示すブロック図である。
図２は、図１に示した光ディスク装置によるランニングＯＰＣ制御処理に係わる各種信号波形の変化を示す図である。
図３は、同じく図１に示した光ディスク装置によるランニングＯＰＣ制御処理に係わる各種信号波形の変化を示す図である。
図４は、図１に示したＬＤの電流対記録パワー特性を示す線図である。
図５は、図１に示したＬＤの他の電流対記録パワー特性を示す線図である。
【００１４】
図１に示すように、この光ディスク装置は、マイクロコンピュータによって実現され、ピックアップ１，ＲＦアンプ６，ローパスフィルタ（ＬＰＦ）７，サンプルホールド（Ｓ／Ｈ）回路８，サンプルパルス発生回路９，信号切替部１０，レーザコントロール回路１１，光ディスクエンコーダ１２，ＣＰＵ１３，ＲＯＭ１４，ＲＡＭ１５等からなる。
光ディスク２０はＣＤ−Ｒ／ＲＷディスク等の情報記録媒体であり、その記録膜上に半導体レーザ光源（ＬＤ）３から発光した光のレーザビーム（光ビーム）を対物レンズ２を介して集光させて情報の記録，再生，消去を行なう。
ピックアップ１はＬＤ３を搭載しており、ＬＤ３はレーザコントロール回路１１からの駆動電流に応じたパワーでレーザビームを出射する。その出射ビームは光ディスク２０上に導かれる。また、光ディスク２０からの反射光はハーフミラー４によって反射してフォトディテクタ（ＰＤ：光ディテクタ）５に照射し、ＰＤ５によって反射光の信号レベルを検出する。このようなピックアップ１の内部構成は公知技術であり、その詳細な説明は省略する。
【００１５】
ピックアップ１内には、その他に前方フォトディテクタなどと呼ばれる光ディスク２０のパワーを検出するための別の光ディテクタなども搭載されているが、この発明には直接関係ないので図示及び詳細な説明を省略する。
この光ディスク装置では情報を記録しようとする場合、ＣＰＵ１３からの命令によって光ディスクエンコーダ１２が所定の記録速度に応じた記録用パルスを生成してレーザコントロール回路１１へ送り、レーザコントロール回路１１はＣＰＵ１３によって所定の発光パワーになるように設定された電流を半導体レーザ光源（ＬＤ）３へ出力する。
ＲＦアンプ６は、ＰＤ５で光電変換された反射光信号を増幅し、サンプル・ホールド（Ｓ／Ｈ）回路８へ出力する。
【００１６】
Ｓ／Ｈ回路８は、サンプリングパルスＲＯＰＣｓａｍｐｌｅによってＲＦアンプ６からの反射光の信号レベル値をサンプリングし、その信号レベル値を保持する。サンプリングパルスＲＯＰＣｓａｍｐｌｅは、サンプルパルス発生回路９によって、図２の（ｂ）と図４の（ｂ）に示すように、光ディスク２０がＣＤ−Ｒディスクの場合は記録パワーレベルが第２光量レベル値Ｐ２の部分で発生するように作成する。
ＣＤ−Ｒディスクの場合、第２光量レベル値Ｐ２により記録マークが形成され、再生パワーの第１光量レベル値Ｐ１ではスペースのままになる。また、図４の（ｂ）に示したように、第２光量レベル値Ｐ２によって記録マークを形成する。
さらに、図２の（ｂ）に示したように、第３光量レベル値Ｐ３を第２光量レベル値Ｐ２の冒頭に持ってくることによって記録マークの前縁の形成がきれいになる場合がある。この動作処理も公知技術なので詳細な説明を省略する。
いずれにせよ、Ｓ／Ｈ回路８からは第２光量レベル値Ｐ２に応じたタイミングでの反射光の信号レベル値が出力される。
【００１７】
ＬＰＦ７は、モニタ信号の低域成分を通過させる低域フィルタであり、ＲＦアンプ６からの信号レベル値の平均値を検出する。図２の（ｃ）と図４の（ｃ）に示したように、反射光の平均値はＲＦａｖｅレベル付近になるので、ＬＰＦ７の出力はそのレベルに応じたものにする。
このＲＦａｖｅレベルは、マークとスペース（消去マーク）の平均デューティーが一定であって、パワーレベルの第３〜第１光量値Ｐ３，Ｐ２，Ｐ１の発生するタイミング、つまり変調タイミングが既知であっても一概には決定できない。なぜならば、図２の（ｂ）と図４の（ｂ）の反射光出力に示すように、記録中の反射光は大きく変化しており、その変化の振る舞いが記録している発光パワーの違いや光ディスク２０の違い（例えば、シアニン系の記録膜とフタロシアニン系の記録膜での違い）によって、大きな差異がみられるためである。
【００１８】
信号切替部（セレクタ）１０は、選択指令ＨＳ（ｓｅｌｅｃｔ  Ｈｉｇｈ  Ｓｐｅｅｄ）により、Ｓ／Ｈ回路８からの信号レベル値の出力とＬＰＦ７からの信号レベル値の出力のいずれか一方を選択して出力する切替処理を行う。その切替処理は、光ディスク２０への記録速度が遅いときは選択指令ＨＳ＝０としてＳ／Ｈ回路８からの出力を選び、光ディスク２０への記録速度が速いときは選択指令ＨＳ＝１としてＬＰＦ７からの出力を選ぶように切り替える。
したがって、ＬＤ３のディジタル変調速度が高速のときは、Ｓ／Ｈ回路８を用いずにＬＰＦ７による反射光信号の平均値手段を用いることになる。
【００１９】
この光ディスク装置におけるランニングＯＰＣ制御処理は、ＯＰＣ時に光ディスク２０への情報記録前にＬＤ３から発光された光を光ディスク２０に照射し、その反射光の信号レベル値をＬＰＦ７あるいはＳ／Ｈ回路８によって検出し、その検出された信号レベル値を基準レベル値としてＲＡＭ１５に記録保持する。
そして、光ディスク２０への情報記録開始後にＬＤ３から発光された光に対する光ディスク２０からの反射光の信号レベル値をＬＰＦ７あるいはＳ／Ｈ回路８によって検出し、ＣＰＵ１３がその検出された信号レベル値とＲＡＭ１５に記録保持された基準レベル値とを比較し、ＲＯＭ１４に記録された所定の演算プログラムに基づいて上記信号レベル値が基準レベル値と等しくなるように演算して随時最適なレーザパワーの駆動電流値を算出し、レーザコントロール回路１１に対してその駆動電流値を設定する。レーザコントロール回路１１は設定された駆動電流値でＬＤ３を発光させる。
【００２０】
すなわち、上記レーザコントロール回路１１とＣＰＵ１３が、上記光源発光手段の機能を、上記対物レンズ２，ハーフミラー４，ＰＤ５，ＲＦアンプ６，ＬＰＦ７，Ｓ／Ｈ回路８，ＣＰＵ１３等が、上記情報記録前反射光信号レベル値検出手段と上記情報記録開始後反射光信号レベル値検出手段の機能を、上記ＲＡＭ１５が上記基準レベル値記録保持手段の機能を、上記ＣＰＵ１３が上記比較手段の機能を、上記レーザコントロール回路１１，ＣＰＵ１３が上記駆動電流調整手段の機能をそれぞれ果たす。
また、上記Ｓ／Ｈ回路８等が上記第１反射光信号レベル値検出手段の機能を、上記ＬＰＦ７が上記第２反射光信号レベル値検出手段の機能を、上記信号切替部１０が上記検出先選択手段の機能をそれぞれ果たす。
【００２１】
なお、上述の光ディスク装置において、好ましくは、入力信号ＩＰ１のレベルは、ＬＤ３が再生時の発光パワーの第１光量レベル値Ｐ１で光っているときの必要レーザ電流を保持しておいて、それを記録中に与えるようにするとよい。
また、再生パワーを一定パワーの第１光量レベル値Ｐ１で制御する手段は、図示を省略するが、公知記述のパワー制御手段を使えばよい。
例えば、第１光量レベル値Ｐ１の発光パワーモニタ信号を基準レベル値と比較して増幅し、それを入力信号ＩＰ１としてレーザコントロール回路１１に与える。その入力信号ＩＰ１のレベル値を適当な記憶手段に保持するとよい。例えば、Ａ／Ｄ変換器でディジタル化し、ラッチ回路で保持し、それをＤ／Ａ変換器でアナログに戻すなどの処理で保持するとよい。これは公知技術なので図示と詳細な説明を省略する。
【００２２】
次に、第３光量レベル値Ｐ３で発光させるときの処理を説明する。
ＣＤ−Ｒディスクのような追記型光ディスクの場合には、再生時のパワーとして第１光量レベル値Ｐ１，記録用のパワーとして第１光量レベル値Ｐ１よりも大きな第２光量レベル値Ｐ２，さらに第２光量レベル値Ｐ２よりも大きな第３光量レベル値Ｐ３に基づくパワーでＬＤ３を発光させる。
第３光量レベル値Ｐ３は、第２光量レベル値Ｐ２を発生させるための駆動電流値に相当するレベル信号ＩＰ２からレーザ効率（電流対パワー比）、すなわち効率値を計算し、その効率値からレベル信号ＩＰ３を計算することで発生させる。
【００２３】
効率計算の処理手順を以下に示す。
ＬＤ３が第２光量レベル値Ｐ２で光っているときに必要なレベル信号ＩＰ２及び第１光量レベル値Ｐ１で光っているときに必要なレベル信号ＩＰ１に基づいて効率値は次式で求めることができる。
効率値＝（Ｐ２−Ｐ１）／（ＩＰ２−ＩＰ１）
図５に示したように、効率値は図中の直線の傾きに相当する。
そこで、図３に示したように、ＬＤ３を第３光量レベル値Ｐ３で発光させるために必要なレベル信号ＩＰ３は、次式によって求められる。
レベル信号ＩＰ３＝ＩＰ１＋（Ｐ３−Ｐ１）／効率値
したがって、実際の記録中にモニタされる信号レベル値から、レベル信号ＩＰ２とレベル信号ＩＰ３のレーザパワー変動を推定して演算することにより、レベル信号ＩＰ２だけでなくレベル信号ＩＰ３を含めて正確にランニングＯＰＣ制御を行うことができる。
【００２４】
次に、情報を記録する光ディスク２０が変化した場合の処理について説明する。ＣＤ−Ｒディスクのような追記型光ディスクにおいて、シアニン系と呼ばれる色素を用いた光ディスクの場合と、フタロシアニン系と呼ばれる色素を用いた光ディスクの場合とでは、一般的に同じ情報をピットを書き込む時に必要になる記録パワーや、必要になるパルスの幅（記録パルス幅）が異なることはよく知られている。
さらに、例えば記録パワーが増加することで反射光出力の変化が大きくなり、ピットを書き込むための記録パルス幅が短くなった場合、当然ＲＯＰＣｓａｍｐｌｅパルスの幅も狭くなり、サンプルホールド回路の精度が高くないと、正確な検出ができず、上手くランニングＯＰＣが行えない。しかし、ＬＰＦによって平均値を検出にすることによって高精度なサンプルホールド回路を用いることなく、正確なランニングＯＰＣ処理を行える。
【００２５】
この実施形態の光ディスク装置をパーソナルコンピュータ等の情報処理装置に内蔵するようにすることもできる。
また、この発明はＬＤ等の光源の発光パワーを調整する光量制御装置として適用することもできる。
さらに、上述の処理では、光量レベル値として２値及び３値の場合について説明したが、同じようにしてさらに他種類の光量レベル値に基づいて駆動電流を調整することができる。
【００２６】
このようにして、この実施形態では、高速なサンプリング回路を用いなくても、記録スピードに応じてサンプリングによるモニタと平均値によるモニタを切り替えて光源の駆動電流を調整するので、高速変調が可能になり、低速記録でも高速記録でも光源を最適な発光パワーに制御することができる。
また、高速なサンプリング手段を用いなくても高速変調が可能になり、装置製造のコストも低減できる。
さらに、低速，高速ともに正確にランニングＯＰＣができる。
また、サンプリング回路が実現できるスピードに応じて、サンプリング回路によるモニタか、平均値手段によるモニタを切り替えることができ、かつどちらのモニタ手段をつかっても正確に所望のパワーに制御できる。さらに、３値でのパワーを発生できるので、より多彩な応用が可能になるランニングＯＰＣ処理を行える。
さらに、光ディスクの種類が変わって発光パワーやストラテジが変わったとしても安定したランニングＯＰＣ処理を行える。
【００２７】
【発明の効果】
以上説明してきたように、この発明の光量制御装置と情報記録装置によれば、高速なサンプリング回路を用いずに光源の記録パワーを記録時の環境が変化しても常に最適値に制御することができる。
【図面の簡単な説明】
【図１】この発明の一実施形態である光ディスク装置の構成例を示すブロック図である。
【図２】図１に示した光ディスク装置によるランニングＯＰＣ制御処理に係わる各種信号波形の変化を示す図である。
【図３】同じく図１に示した光ディスク装置によるランニングＯＰＣ制御処理に係わる各種信号波形の変化を示す図である。
【図４】図１に示したＬＤの電流対記録パワー特性を示す線図である。
【図５】図１に示したＬＤの他の電流対記録パワー特性を示す線図である。
【符号の説明】
１：ピックアップ      ２：対物レンズ
３：半導体レーザ光源  ４：ハーフミラー
５：フォトディテクタ（ＰＤ）
６：ＲＦアンプ        ７：ローパスフィルタ（ＬＰＦ）
８：サンプルホールド（Ｓ／Ｈ）回路
９：サンプルパルス発生回路
１０：信号切替部      １１：レーザコントロール回路
１２：光ディスクエンコーダ
１３：ＣＰＵ          １４：ＲＯＭ
１５：ＲＡＭ
【図１】
0003830755.tif 000002
【図２】
0003830755.tif 000003
【図３】
0003830755.tif 000004
【図４】
0003830755.tif 000005
【図５】
0003830755.tif 000006